(57)【要約】  ラウドスピーカは、発光素子と、フレームと、磁気ギャップを含む磁気回路と、振動板と、ボイスコイルボビンと、ボイスコイルと、を含んでいる。振動板は、発光素子に対向した端面を含む内周端部と、反射面が形成され、端面から光が入射される位置に設けられた導光部と、を有している。ボイスコイルボビンの第１端は振動板の内周端部に結合され、第２端は磁気ギャップへ挿入されている。ボイスコイルボビンの第２端にはボイスコイルが巻回されている。発光素子の光は、振動板の端面から入射され、導光部により拡散され、反射面にて反射される。
2015129232.tif 000002
【特許請求の範囲】
【請求項１】
発光素子と、
フレームと、
前記フレームに結合され、磁気ギャップを含む磁気回路と、
前記発光素子に対向した端面を含む内周端部と、
反射面が形成され、前記端面から光が入射される位置に設けられた導光部と、
を有した振動板と、
第１端と第２端を有し、前記第１端が前記内周端部に結合され、前記第２端が前記磁気ギャップへ挿入された筒状のボイスコイルボビンと、
前記ボイスコイルボビンの前記第２端に巻回されたボイスコイルと、を備えた、
ラウドスピーカ。
【請求項２】
前記発光素子は、前記ボイスコイルボビンの内側に配置された、
請求項１に記載のラウドスピーカ。
【請求項３】
前記端面は、前記ボイスコイルボビンの外周面に結合された、
請求項２に記載のラウドスピーカ。
【請求項４】
前記端面は、前記ボイスコイルボビンの外周面に沿った形状を有する、
請求項３に記載のラウドスピーカ。
【請求項５】
前記内周端部の前記端面を除いた部分と前記ボイスコイルボビンとを結合する接着部をさらに備えた、
請求項３に記載のラウドスピーカ。
【請求項６】
前記ボイスコイルボビンは、透光性材料で構成された、
請求項３に記載のラウドスピーカ。
【請求項７】
前記ボイスコイルボビンは、前記ボイスコイルボビンを貫通し、前記振動板の前記端面に前記光を入射する入射窓を有する、
請求項３に記載のラウドスピーカ。
【請求項８】
前記振動板の前記内周端部は、前記ボイスコイルボビンの内側へ突出した、
請求項２に記載のラウドスピーカ。
【請求項９】
前記ボイスコイルボビンの前記第１端には、前記振動板と結合された折曲部が形成された、
請求項８に記載のラウドスピーカ。
【請求項１０】
前記折曲部は、前記ボイスコイルボビンの外側へ折れ曲がっている、請求項９に記載のラウドスピーカ。
【請求項１１】
前記ボイスコイルボビンの前記第１端には、前記振動板の前記内周端部が貫通する切り欠きが設けられている、
請求項８に記載のラウドスピーカ。
【請求項１２】
前記振動板は、前記ボイスコイルボビンの外周面あるいは内周面の少なくともいずれかと結合された突起を有する、
請求項８に記載のラウドスピーカ。
【請求項１３】
前記振動板の前記内周端部は、前記ボイスコイルボビンの内周面もしくは外周面に沿って曲げられた、
請求項１に記載のラウドスピーカ。
【請求項１４】
前記ボイスコイルボビンの前記第１端は外側に曲がっており、前記振動板の前記内周端部は、前記ボイスコイルボビンの外周面に沿って曲げられて前記ボイスコイルボビンと結合された、
請求項１３に記載のラウドスピーカ。
【請求項１５】
前記振動板の前記内周端部は、前記導光部よりも厚い、
請求項１に記載のラウドスピーカ。
【請求項１６】
前記振動板の前記反射面には、板状の突起が形成された、
請求項１に記載のラウドスピーカ。
【請求項１７】
音源信号を出力する音源部と、
前記音源部の出力が電気的に接続された音声処理部と、
前記音声処理部の出力が電気的に接続された請求項１に記載のラウドスピーカと、を備えた、
電子機器。
【請求項１８】
本体部と、
前記本体部内に設けられた駆動部と、
前記本体部に収納され、音源信号を出力する音源部と、
前記音源部の出力が電気的に接続された音声処理部と、
前記本体部に装着され、前記音声処理部の出力が電気的に接続された請求項１に記載のラウドスピーカと、を備えた、
移動体装置。
【発明の詳細な説明】
【技術分野】
【０００１】
本技術分野は、イルミネーション機能を有するラウドスピーカと、これを用いた電子機器、移動体装置に関する。
【背景技術】
【０００２】
従来のイルミネーション機能を有するラウドスピーカでは、例えば、光源を振動板の前面に配置して、光源からの光を振動板に反射させている、あるいは光源を振動板の背面に配置して、光源からの光が振動板を透過する。【０００３】
尚、この出願の発明に関する先行技術文献情報としては、例えば、特許文献１が知られている。
【先行技術文献】
【特許文献】
【０００４】
【特許文献１】実公昭６３−３３４１４号公報
【発明の概要】
【０００５】
本発明のラウドスピーカは、発光素子と、フレームと、磁気ギャップを含む磁気回路と、振動板と、ボイスコイルボビンと、ボイスコイルと、を含む。振動板は、発光素子に対向した端面を含む内周端部と、反射面が形成され、端面から光が入射される位置に設けられた導光部と、を有する。ボイスコイルボビンの第１端は振動板の内周端部に結合され、第２端は磁気ギャップへ挿入されている。ボイスコイルボビンの第２端にはボイスコイルが巻回されている。
【０００６】
そして、発光素子は、端面に対向して、端面から導光部内に光を入射するように配置されている。
【０００７】
以上の構成により、振動板の内周端部の端面から入射された発光素子の光は、振動板内を反射しながら拡散する。そのため、振動板前面からの光には明暗ムラが生じない。したがって、振動板は均質に光っているように見え、品質の高いイルミネーションを得ることができる。
【図面の簡単な説明】
【０００８】
【図１】図１は、本発明の実施の形態におけるラウドスピーカの断面図である。
【図２】図２は、図１に示すラウドスピーカの要部拡大断面図である。
【図３】図３は、本発明の実施の形態において、入射窓を形成したボイスコイルボビンを用いた場合のラウドスピーカの要部拡大断面図である。
【図４】図４は、本発明の実施の形態において、他の入射窓を形成したボイスコイルボビンを用いた場合のラウドスピーカの要部拡大断面図である。
【図５】図５は、本発明の実施の形態において、切り欠きを設けたボイスコイルボビンを用いた場合のラウドスピーカの要部拡大断面図である。
【図６】図６は、本発明の実施の形態において、ボイスコイルボビンを振動板の背面に結合した場合のラウドスピーカの要部拡大断面図である。
【図７】図７は、本発明の実施の形態におけるエッジを振動板の背面に連結した場合のラウドスピーカの要部拡大断面図である。
【図８】図８は、本発明の実施の形態において、内周端部が折曲形成された振動板を用いた場合のラウドスピーカの断面図である。
【図９】図９は、本発明の実施の形態において、折曲形成された内周端部とボイスコイルボビンとを結合した場合のラウドスピーカの要部拡大断面図である。
【図１０】図１０は、本発明の実施の形態において折曲形成された内周端部をボイスコイルボビンの内側に配置した場合のラウドスピーカの要部拡大断面図である。
【図１１】図１１は、本発明の実施の形態において、折曲形成された内周端部を切り欠きを有したボイスコイルボビンの内側に配置した場合のラウドスピーカの要部拡大断面図である。
【図１２】図１２は、本発明の実施の形態における電子機器の概念図である。
【図１３】図１３は、本発明の実施の形態における他の電子機器の概念図である。
【図１４】図１４は、本発明の実施の形態における移動体装置の概念図である。
【発明を実施するための形態】
【０００９】
本実施の形態におけるラウドスピーカの説明に先立って、従来のラウドスピーカの課題について説明する。
【００１０】
従来の反射方式のラウドスピーカでは、光源を中央に配置する場合、光源を支持する支持体が振動板からの反射光を遮るため、明暗ムラが生じる。また、複数個の光源を振動板の周囲に配置した場合、光源から振動板までの距離が十分に確保できないため、振動板の光源からの距離の違いによって明暗ムラが生じる。
【００１１】
従来の透過方式のラウドスピーカでは、光源を振動板の背面に複数個配置した場合においても、光源から振動板までの距離が十分に確保できないため、振動板の光源からの距離の違いによって明暗ムラが生じる。
【００１２】
本発明は、明暗ムラを抑制し、品質の高いイルミネーションを実現できるラウドスピーカを提供する。
【００１３】
以下、本発明の実施の形態に係るラウドスピーカについて、図面を参照しながら、説明する。
【００１４】
図１は、ラウドスピーカ１１の断面図である。図２は、ラウドスピーカ１１の要部拡大断面図である。ラウドスピーカ１１は、フレーム１２と、磁気ギャップ１３Ｄを含む磁気回路１３と、振動板１４と、ボイスコイルボビン１５と、ボイスコイル１６と、発光素子である発光ダイオード（以下、ＬＥＤ）１８と、外部端子２２と、配線部２１とを含んでいる。磁気回路１３は、フレーム１２の背面部の中央部分に結合されている。
【００１５】
振動板１４の外周端部は、フレーム１２の外周部に連結されている。振動板１４は、透明樹脂によって形成されている。なお、振動板１４は、たとえばポリカーボネート（ＰＣ）や、アクリル等の熱可塑性樹脂によって形成できる。したがって、振動板１４は、射出成形などによって成形できるので、生産性に優れている。なお、振動板１４は、コーン型であるが、これに限らず平面型であっても良い。振動板１４は、内周端部１４Ｃと、板状の導光部１４Ａを含んでいる。なお、内周端部１４Ｃは、振動板１４の内周側の端部に形成されている。さらに振動板１４には、反射面１４Ｄが形成されている。なお、反射面１４Ｄは、振動板１４の背面に形成されている。
【００１６】
振動板１４は、エッジ１４Ｈを含む。この場合、エッジ１４Ｈは導光部１４Ａの外周側の端部に連結されている。そして、エッジ１４Ｈの外周部がフレーム１２の外周部に結合されている。すなわち、導光部１４Ａはエッジ１４Ｈを介してフレームへ連結されている。エッジ１４Ｈは、振動板１４の前面側へ貼り付けられ、かつ振動板１４の前面側へ突出した形状をしている。
【００１７】
ボイスコイルボビン１５は、第１端と第２端とを有している。第２端にボイスコイル１６が巻回されている。そして、ボイスコイルボビン１５の第１端は、振動板１４の端面１４Ｂと結合されている。端面１４Ｂは、ボイスコイルボビン１５の外周面に沿った形状であり、外周面と密着して結合している。一方、第２端は、磁気ギャップ１３Ｄへ挿入されている。
【００１８】
ＬＥＤ１８は、ボイスコイルボビン１５の内側において、端面１４Ｂに対向する位置に配置されている。なお、ＬＥＤ１８の発光面は、端面１４Ｂを向いている。この構成によって、ＬＥＤ１８から出力された光は、端面１４Ｂへと入射され、内周端部１４Ｃを介して導光部１４Ａへと導かれる。なお、内周端部１４Ｃおよび端面１４Ｂは、少なくともＬＥＤ１８に対向する位置に形成されていればよい。もちろん、内周端部１４Ｃおよび端面１４Ｂは、振動板１４の内側の周縁部の全周に形成しても良い。ＬＥＤ１８は、たとえばフルカラータイプを用いることができる。なお、ＬＥＤ１８は、フルカラータイプに限らず、単色タイプでも良い。また、ＬＥＤ１８に限らず、エレクトロルミネッセンス（ＥＬ）素子等の発光素子をＬＥＤ１８に代えて用いても良い。
【００１９】
外部端子２２は、フレーム１２に取り付けられている。配線部２１は、外部端子２２とＬＥＤ１８との間を電気的に接続している。
【００２０】
なお、配線部２１は、リード線２１Ｂを含んでも良い。さらに、配線部２１は、プリント基板２１Ａを含んでも良い。この場合、ＬＥＤ１８は、プリント基板２１Ａにはんだなどによって、装着されている。また、配線部２１は、プリント基板２１Ａとリード線２１Ｂとを含んでも良い。この場合、プリント基板２１Ａは、リード線２１Ｂを介して、外部端子２２に電気的に接続される。この構成により、ＬＥＤ１８は、外部端子２２に入力される信号に基づいて駆動される。
【００２１】
以上の構成により、振動板１４の内周端部１４Ｃの端面１４Ｂから入射された光は、外周方向へ拡散しながら振動板１４の内部で反射を繰り返す。さらに、導光部１４Ａにおいて、光は背面側に設けられた反射面１４Ｄによって、前面側に反射される。したがって、振動板１４の前面から、均一化された光が放出される。
【００２２】
次に、本実施の形態におけるラウドスピーカ１１についてさらに詳しく説明する。最初に振動板１４について、説明する。図２に示すように、反射面１４Ｄとしては、たとえば導光部１４Ａの背面に板状の突起１４Ｅを形成することによって構成できる。この場合、板状の突起１４Ｅは、振動板１４を形成する際に同時に成形することができる、したがって、振動板１４の生産性は高い。
【００２３】
また、反射面１４Ｄは、振動板１４の背面に光を反射する樹脂コーティング膜１４Ｆを設けることによって形成しても良い。このとき、樹脂コーティング膜１４Ｆの中に補強材を含めることによって、振動板１４の弾性率を向上させることができる。補強材としては、例えば竹から抽出されるプラントオパールやナノファイバを用いれば、弾性率が向上すると共に、樹脂コーティング膜１４Ｆの樹脂と補強材との結着性が向上する。
【００２４】
なお、内周端部１４Ｃは、導光部１４Ａより厚くすることが好ましい。この構成により、光が導光部１４Ａへ入射する効率がさらに高くなる。この場合、内周端部１４Ｃの厚みを、端面１４Ｂから導光部１４Ａに向かって、徐々に薄くすることが好ましい。この構成により、光が導光部１４Ａへ入射する効率が大きくなる。この場合、内周端部１４Ｃおよび端面１４Ｂは、ＬＥＤ１８に対向する位置にのみ形成することが好ましい。この構成により、振動板１４の重量の増加を抑制できる。したがって、ラウドスピーカ１１の音圧レベルを向上できる。さらに、ラウドスピーカ１１の高域限界周波数も高くできる。
【００２５】
ボイスコイルボビン１５は筒状である。そして、ＬＥＤ１８は、ボイスコイルボビン１５の内側に配置されている。この構成により、ＬＥＤ１８が発した光は、ボイスコイルボビン１５を通過して、端面１４Ｂへ入射する。なお、端面１４Ｂは、ボイスコイルボビン１５の外周面に接していることが好ましい。この構成により、光が入射する端面１４Ｂとボイスコイルボビン１５の外周面との間の隙間を小さくできる。したがって、ボイスコイルボビン１５を通過した光が、端面１４Ｂから入射する効率を向上できる。
【００２６】
なお、振動板１４とボイスコイルボビン１５とは、接着部１７で結合されている。接着部１７は、例えば接着剤が硬化して形成されている。接着部１７は、ボイスコイルボビン１５の外周面と振動板１４の前面との間に形成することが好ましい。なお、接着部１７は、ボイスコイルボビン１５の外周面と振動板１４の前面との間に限らず、たとえばボイスコイルボビン１５の外周面と振動板１４の背面との間に形成しても良い。
【００２７】
なお、接着部１７は、内周端部１４Ｃの端面１４Ｂを除いた箇所に設けても良い。この構成により、接着剤が端面１４Ｂへ付着することを抑制できる。したがって、端面１４Ｂの前面に接着剤による凸凹が形成されることによる光の散乱を抑制できる。なおこの場合、内周端部１４Ｃは、導光部１４Ａよりも厚くしておくことが好ましい。この構成により、導光部１４Ａの接着剤が塗布される部分と、内周端部１４Ｃとの間に段差が形成される。したがって、接着剤が、端面１４Ｂに付着することを抑制できる。
【００２８】
また、内周端部１４Ｃは、振動板１４の内側の周縁部の全周に形成しても良い。この構成により、振動板１４をフレーム１２へ組み込む場合に、振動板１４の方向性を考慮する必要がない。したがって、振動板１４を組立てる工数を削減できる。この場合、接着部１７は、内周端部１４Ｃにおいて、光の通路となる領域を除いた箇所に形成することが好ましい。この構成により、接着剤が端面１４Ｂへ付着することを抑制できる。
【００２９】
ＬＥＤ１８が実装されたプリント基板２１Ａは、ボイスコイル１６の内側へ収納されている。そして、ＬＥＤ１８は、振動板１４の端面１４Ｂに向けて光を照射するように配置されている。この場合、ＬＥＤ１８は側面発光型であることが好ましい。この構成により、光が導光部１４Ａへ入射する効率を高くできる。また、ＬＥＤ１８は、出射面に集光レンズ１８Ａを含んでも良い。この構成により、さらに光が導光部１４Ａへ入射する効率を高くできる。また、ＬＥＤ１８には、広範囲配光型のものを使用することもできる。
【００３０】
以上のように、ＬＥＤ１８と端面１４Ｂとの間には、ボイスコイルボビン１５が介在している。したがって、ＬＥＤ１８が発した光は、ボイスコイルボビン１５を通過して端面１４Ｂへ入射する。そこで、ボイスコイルボビン１５において光の透過する領域は、透明であることが好ましい。さらに、ボイスコイルボビン１５において、ＬＥＤ１８からの光が透過する領域は、無色であることが好ましい。この構成により、ＬＥＤ１８の光が、ボイスコイルボビン１５を通過することによる光量の減少を抑制できる。したがって、振動板１４の輝度を大きくできる。
【００３１】
そこで、ボイスコイルボビン１５において、ＬＥＤ１８からの光が透過する領域には、透明材料を用いる。この場合、内周端部１４Ｃは、ボイスコイルボビン１５の外周面に沿って形成することが好ましい。さらに、端面１４Ｂは、ボイスコイルボビン１５の外周面に接していることが好ましい。この構成により、光が入射する端面１４Ｂとボイスコイルボビン１５の外周面との間の隙間を小さくできる。したがって、ボイスコイルボビン１５を通過した光が、端面１４Ｂから入射する効率を向上できる。
【００３２】
なお、ボイスコイルボビン１５は、全体を透明材料で構成しても良い。この場合、ボイスコイルボビン１５は、透明な樹脂によって形成できる。この構成により、ボイスコイルボビン１５の生産性が向上する。
【００３３】
図３は、入射窓１５Ａが形成されたボイスコイルボビン１５を用いた場合のラウドスピーカ１１の要部拡大断面図である。ボイスコイルボビン１５の周面には、入射窓１５Ａが形成されている。入射窓１５Ａは、光を端面１４Ｂへ入射するために、端面１４Ｂと対向する位置に配置されている。なお、入射窓１５Ａは、ボイスコイルボビン１５の周面において、端面１４Ｂと対向する部分のみに透明材料１５Ｂを挿入することによって形成しても良い。この場合、透明材料１５Ｂとしては、たとえば透明樹脂あるいは、ガラスなどを用いることができる。
【００３４】
なお、図２および図３において、内周端部１４Ｃは、振動板１４の内側の周縁部の全周に形成しても良い。この構成により、振動板１４をフレーム１２へ結合する際に、振動板１４の組立工数を削減できる。
【００３５】
図４は、貫通孔１５Ｃが形成されたボイスコイルボビン１５を用いた場合のラウドスピーカ１１の要部拡大断面図である。入射窓１５Ａは、ボイスコイルボビン１５を貫通して形成された貫通孔１５Ｃでも良い。貫通孔１５Ｃは、ボイスコイルボビン１５において、ＬＥＤ１８に面する部分に設けられている。
【００３６】
図３および図４において、ボイスコイルボビン１５に入射窓１５Ａを形成することにより、ボイスコイルボビン１５は、入射窓１５Ａ以外の箇所で光を通過させる必要がない。従って、ボイスコイルボビン１５は、たとえば紙などのように安価でかつ軽い材料で形成することが可能である。
【００３７】
図５は、切り欠き１５Ｄが形成されたボイスコイルボビン１５を用いた場合のラウドスピーカ１１の要部拡大断面図である。ボイスコイルボビン１５の第１端において、ＬＥＤ１８と対向する位置には、切り欠き１５Ｄが形成されている。この場合、内周端部１４Ｃは、ボイスコイルボビン１５の内側へ突出していることが好ましい。すなわち、内周端部１４Ｃは、ボイスコイルボビン１５の内周面から突出した位置に配置されている。なお、接着部１７は、ボイスコイルボビン１５の内周面と振動板１４の背面との間に形成しても良い。あるいは、接着部１７は、ボイスコイルボビン１５の内周面と振動板１４の前面との間に形成しても良い。なお、内周端部１４Ｃは、ボイスコイルボビン１５の内周面から突出した構成に限らず、ボイスコイルボビン１５の内周面まで突出した構成でも良い。あるいは、内周端部１４Ｃは、切り欠き１５Ｄの外側に配置しても良い。
【００３８】
さらに、切り欠き１５Ｄには、ボイスコイルボビン１５の第１端の一部が、振動板１４の背面に沿って折れ曲がった折曲部１５Ｅを設けても良い。この構成においてボイスコイルボビン１５を光反射可能な部材で構成することにより、折曲部１５Ｅは、ＬＥＤ１８から出力された光を反射する。したがって、光を効率的に導光部１４Ａへ導くことができる。なお、折曲部１５Ｅと振動板１４とは、たとえば接着剤などによって、結合することが好ましい。この構成により、ボイスコイルボビン１５と振動板１４とが結合する強度を向上できる。なお、折曲部１５Ｅの折り曲げ方向は、ボイスコイルボビン１５の外側方向に限らず、内側方向でも良い。
【００３９】
図６は、ボイスコイルボビン１５を振動板１４の背面に結合した場合のラウドスピーカ１１の要部拡大断面図である。ボイスコイルボビン１５の第１端と振動板１４の背面との間に接着部１７を形成することにより、ボイスコイルボビン１５の第１端は、振動板１４の背面に結合される。この構成により、内周端部１４Ｃの全体が、ボイスコイルボビン１５の内周面から突出した構成とすることができる。この場合、内周端部１４Ｃは、振動板１４の内側の周縁部の全周に形成することが好ましい。
【００４０】
さらに、振動板１４の背面には、突起１４Ｇを設けても良い。この場合、接着部１７は、ボイスコイルボビン１５の第１端付近の側面と、突起１４Ｇの側面との間に形成することが、好ましい。なお、突起１４Ｇは、ボイスコイルボビン１５の第１端側の内周面もしくは外周面の少なくともいずれか一方のみに設けたものでも良い。この構成により、ボイスコイルボビン１５と振動板１４との結合強度が大きくなる。
【００４１】
図５および図６に示すように、内周端部１４Ｃをボイスコイルボビン１５の内周面から突出した構成とできるので、端面１４Ｂは、ＬＥＤ１８に近接して配置できる。したがって、ＬＥＤ１８の光が、端面１４Ｂへ入射する効率を向上できる。さらに、ＬＥＤ１８から出力された光は、ボイスコイルボビン１５を通過せずに、端面１４Ｂに直接入射する。したがって、光が端面１４Ｂへ入射する効率を向上できる。また、接着部１７と端面１４Ｂとが離れて配置されるので、接着剤が端面１４Ｂに付着することを抑制できる。
【００４２】
図７は、エッジ１４Ｈを振動板１４の背面に連結した場合のラウドスピーカの要部拡大断面図である。この場合、エッジ１４Ｈは、振動板１４の背面側へ突出するように連結することが好ましい。この構成により、導光部１４Ａは、エッジ１４Ｈとの連結部からさらに外周方向へと延びた位置まで拡げることができる。すなわち、導光部１４Ａの外周部が、エッジ１４Ｈの一部を覆い隠す。したがって、振動板１４の発光する面積を拡大できる。
【００４３】
なお、図１に示すように、磁気回路１３は、外磁型であることが好ましい。磁気回路１３が、外磁型である場合、磁気回路１３には、ヨーク１３Ａ、磁石１３Ｂ、プレート１３Ｃを含んでいる。なお、ヨーク１３Ａの中央にはポールピースが設けられている。この場合、ヨーク１３Ａのポールピースには、リード線２１Ｂを通す貫通孔を設けておくことが好ましい。ヨーク１３Ａは、たとえば鉄などのような磁性体材料により形成されている。したがって、ヨーク１３Ａを生産する際に、ポールピースに貫通孔を容易に形成できる。
【００４４】
なお、磁気回路１３は、外磁型に限らず、内磁型であっても良い。この場合、プリント基板２１Ａは、磁石１３Ｂの上方に配置される。ところが、磁石１３Ｂに孔を加工することは困難である。そこで、磁気回路１３が内磁型の場合、ボイスコイルボビン１５にリード線２１Ｂを引き出すための孔を設けることで対応できる。
【００４５】
また、磁気回路１３の前面とプリント基板２１Ａとの間に隙間が有る場合、磁気回路１３の前面とプリント基板２１Ａとの間にスペーサ２０を設けることが好ましい。なお、磁気回路１３が外磁型である場合、スペーサ２０は、ヨーク１３Ａのポールピース上に搭載される。
【００４６】
さらに、ラウドスピーカ１１は、ダストキャップ１９を含むことが好ましい。ダストキャップ１９は、振動板１４の中央部に設けられている。なお、ダストキャップ１９は、振動板１４の前面側へ突出していることが好ましい。この構成より、ダストキャップ１９と磁気回路１３との間に空間が形成され、この空間へＬＥＤ１８を収納できる。また、ダストキャップ１９は、たとえば黒色のような、光の透過量の小さい色であることが好ましい。この構成により、ＬＥＤ１８の光がダストキャップ１９から直接漏れることを抑制できる。したがって、ラウドスピーカ１１では、もっぱら導光部１４Ａが発光するので、発光ムラのない美しいイルミネーションによって振動板１４を装飾できる。
【００４７】
さらに、ＬＥＤ１８を駆動する入力としては、ラウドスピーカ１１を駆動する音声信号を用いることが好ましい。この構成により、音の強さに合わせて光が明滅する。さらに、ＬＥＤ１８にフルカラータイプを用いた場合、音に同調させて、振動板１４の発光色を変化させることができる。なお、ＬＥＤ１８を駆動する入力は、ラウドスピーカ１１を駆動する音声信号に限らず、独立した入力信号でも良い。
【００４８】
図８は、図１に示す振動板１４に代えて、内周端部１１４Ｃが折れ曲がって形成された振動板１１４を用いた場合のラウドスピーカ１１１の断面図である。ＬＥＤ１８は、振動板１１４の背面に向けて光を出力する。すなわち、ラウドスピーカ１１１では、図１に示すラウドスピーカ１１に比べて、ＬＥＤ１８の光を出力する方向が異なる。
【００４９】
振動板１１４の内周端部１１４Ｃは、ボイスコイルボビン１５の外周面に沿って、ＬＥＤ１８の配置された位置へと折れ曲がっている。そして、ＬＥＤ１８は、振動板１１４の背面側に配置されている。なお、内周端部１１４Ｃは、ＬＥＤ１８の前面に位置するように配置されている。そこで、ＬＥＤ１８は、上面発光型を用いることが好ましい。その結果、内周端部１１４Ｃの端面１１４Ｂは、ＬＥＤ１８の射光部と対向する。そして、ＬＥＤ１８から出射される光は、端面１１４Ｂから振動板１１４へ入射する。この構成とすることにより、ボイスコイルボビン１５や振動板１１４が振動している場合でも、端面１１４Ｂは、常にＬＥＤ１８と対向した状態を維持することができる。したがって、ラウドスピーカ１１１の駆動中であっても、ＬＥＤが出力した光を端面１１４Ｂへ効率よく入射できる。
【００５０】
プリント基板２１Ａは、フレーム１２の中央部の前面に配置されている。なお、磁気回路１３は外磁型、内磁型のいずれでも良い。磁気回路１３が外磁型である場合、プリント基板２１Ａは、プレート１３Ｃの中央部の前面に搭載しても良い。
【００５１】
内周端部１１４Ｃは、内周端部１１４Ｃの内側の側面とボイスコイルボビン１５の外周面との間に隙間を有するように形成することが好ましい。この構成により、接着部１７の接着剤が、端面１１４Ｂに付着することを抑制できる。さらに、ＬＥＤ１８とボイスコイルボビン１５との間の距離や、プリント基板２１Ａの端部とボイスコイルボビン１５との間の距離も大きくできる。この構成により、ボイスコイルボビン１５にローリングを生じたとしても、ボイスコイルボビン１５とＬＥＤ１８とが接触することを抑制できる。
【００５２】
図９は、折れ曲がった内周端部１１４Ｃとボイスコイルボビン１５とを結合した場合のラウドスピーカの要部拡大断面図である。内周端部１１４Ｃの側面は、ボイスコイルボビン１５の外周面と接している。そして、内周端部１１４Ｃとボイスコイルボビン１５とが結合されている。この場合、内周端部１１４Ｃの側面と、ボイスコイルボビン１５の外周面とを接着すれば、振動板１１４とボイスコイルボビン１５とを結合する強度が向上する。
【００５３】
ボイスコイルボビン１５の第１端には、振動板１４の前面に沿うように、外側へ折れ曲がった折曲部１５Ｆを設けることが好ましい。この構成により、ボイスコイルボビン１５の第１端は、光を反射する。したがって、さらにＬＥＤ１８の光を効率的に導光部１４Ａへ導くことができる。
【００５４】
この場合、ボイスコイルボビン１５は、光反射可能な部材で形成することが好ましい。この構成により、ＬＥＤ１８の光を効率的に導光部１４Ａへ導くことができる。
【００５５】
また、ボイスコイルボビン１５の第１端の折曲部１５Ｆは、振動板１１４の前面と接着することが好ましい。この構成により、さらにボイスコイルボビン１５と振動板１４とを結合する強度が向上する。
【００５６】
図１０は、折れ曲がった内周端部１１４Ｃをボイスコイルボビン１５の内側に配置した場合のラウドスピーカ１１１の要部拡大断面図である。内周端部１１４Ｃは、ボイスコイルボビン１５の内周面に沿って折れ曲がった構成としても良い。また、内周端部１１４Ｃの外側の側面とボイスコイルボビン１５の内周面とは結合することが好ましい。なお、この場合、ＬＥＤ１８やプリント基板２１Ａは、ボイスコイルボビン１５の内側に配置される。
【００５７】
図９および図１０に示すラウドスピーカ１１１において、内周端部１１４Ｃの下面には、凹部１１４Ｄを形成することが好ましい。なお、凹部１１４Ｄは、ＬＥＤ１８の光を入射する箇所に形成されている。この構成により、接着部１７の接着剤が、端面１１４Ｂへ付着することを抑制できる。
【００５８】
図８から図１０に示すラウドスピーカ１１１において、内周端部１１４Ｃを、導光部１４Ａに比べて厚くすることが好ましい。この構成により、ＬＥＤ１８が出力した光が、導光部１４Ａへ入射する効率を高くできる。さらに、振動板１１４とボイスコイルボビン１５との結合強度が向上する。また、内周端部１１４Ｃは、ボイスコイルボビン１５の外周面に沿って、振動板１１４の背面を一周するように形成してもよい。この構成により、さらに振動板１１４とボイスコイルボビン１５とを結合する強度が向上する。ただし、この場合、内周端部１１４Ｃとボイスコイルボビン１５とは、内周端部１１４ＣにおいてＬＥＤ１８の前面に位置した領域を除いて、接着することが好ましい。この構成により、接着剤が端面１１４Ｂに付着することを抑制できる。あるいは、内周端部１１４Ｃは、ＬＥＤ１８の前面の位置にのみ配置しても良い。この構成により、振動板１１４を軽くできる。さらに、内周端部１１４Ｃは、ダストキャップ１９によって隠れるような位置に配置することが好ましい。
【００５９】
図１１は、切り欠き１５Ｄを有したボイスコイルボビン１５の内側に内周端部１１４Ｃを配置した場合のラウドスピーカ１１１の要部拡大断面図である。すなわち図５に示す内周端部１４Ｃに代えて、内周端部１１４Ｃを設けた構成である。なお、この場合も、ＬＥＤ１８は端面１１４Ｂに向けて光を射出している。
【００６０】
図１２は、電子機器２０１の回路ブロック図である。電子機器２０１は、たとえば、パチンコ、パチスロや、スロットマシンなどの遊技機である。あるいは、電子機器２０１は、たとえばミニコンポや、ラジカセなどの音響機器であっても良い。さらに音が出る遊戯具などでも良い。
【００６１】
電子機器２０１は、音源部２０３と、音声処理部２０４と、ラウドスピーカ１１を含んでいる。音源部２０３と音声処理部２０４は、筐体２０２内に収納されている。ラウドスピーカ１１は、筐体２０２に装着されている。
【００６２】
音源部２０３は、音声処理部２０４へ電気的に接続されている。音源部２０３は、図示しない音源から音源信号を読み込み、音声処理部２０４へ出力している。音源には音源信号が格納されている。音源は、たとえばＣＤ（コンパクトディスク）、ＤＶＤ（デジタル多目的ディスク）、レコード、カセットテープや各種のメモリである。
【００６３】
音声処理部２０４の出力端は、ラウドスピーカ１１の外部端子２２と電気的に接続されている。音声処理部２０４は、少なくとも増幅器を含み、音源信号を増幅している。なお、音声処理部２０４には、さらにデジタル／アナログ（Ｄ／Ａ）変換器などを含んでも良い。
【００６４】
以上の構成により、視聴者は、音と共に美しい光の模様や像によるイルミネーションを楽しむことができる。
【００６５】
図１３は、電子機器３０１の概念図である。電子機器３０１は、本体部３０１Ａと遊戯台３０１Ｂと、音源部２０３と、音声処理部２０４と、ラウドスピーカ１１を含んでいる。なお、本体部３０１Ａには、複数の遊戯台３０１Ｂが組み込まれている。そしてそれぞれの遊戯台３０１Ｂ内には、音源部２０３と、音声処理部２０４と、ラウドスピーカ１１が収納されている。さらに、本体部３０１Ａにもラウドスピーカ１１を設けても良い。そして、ラウドスピーカ１１は、音声処理部２０４の出力に応じて音と光を出力している。
【００６６】
この構成により、遊戯者は遊戯時に遊戯台３０１Ｂが出力する音とともに、ラウドスピーカ１１によるイルミネーションを楽しむことができる。したがって、遊戯者はさらに、遊戯台３０１Ｂでの遊戯を楽しむことができる。
【００６７】
なお、本体部３０１Ａは、遊戯者が遊技場の従業員などに遊技機の異常などを知らしめるためのスイッチ（図示せず）を有している。そこで、本体部３０１Ａに設けられたラウドスピーカ１１をスイッチの操作による指示に応じて特定の発光をする構成としても良い。
【００６８】
図１４は、本実施の形態における移動体装置の概念図である。移動体装置４０１は、たとえば自動車である。なお、移動体装置４０１は、自動車に限らず、たとえばゴーカートや観覧車などのような遊戯具、航空機、船、バイク、自転車などの二輪車や、フォークリフトなどであっても良い。
【００６９】
移動体装置４０１は、本体部４０２と、駆動部４０３と、音源部２０３と、音声処理部２０４と、ラウドスピーカ１１を含んでいる。駆動部４０３は、エンジン、モータのいずれかを含んでいる。さらに駆動部４０３は、タイヤあるいはスクリュー、キャタピラ、変速機、ハンドルやアクセル等どのような操縦部を含んでも良い。そして、駆動部４０３の少なくとも一部と、音源部２０３と、音声処理部２０４とは、本体部内に収納されている。ラウドスピーカ１１は、本体部４０２において、移動体装置４０１に搭乗する人に音声が聞こえる位置に配置されている。
【００７０】
以上の構成により、移動体装置４０１に搭乗する人は、音とともに美しい光の模様や像によるイルミネーションを楽しむことができる。
【００７１】
なお、ラウドスピーカ１１をフォークリフトへ搭載した場合、フォークリフトの周囲に居る人へ音とともに光によってフォークリフトの接近を知らせることもできる。
【００７２】
さらに、ゴーカートや観覧車などのような遊戯具の外側へラウドスピーカ１１を搭載した場合、遊戯具へ搭乗している人だけでなく、遊戯具へ搭乗していない人もイルミネーションを楽しむことができる。
【００７３】
尚、電子機器２０１、電子機器３０１、移動体装置４０１において、ラウドスピーカ１１に代えて、ラウドスピーカ１１１を用いても良い。
【産業上の利用可能性】
【００７４】
本発明にかかるラウドスピーカは、美しい光による模様や像によるイルミネーションによって装飾できるという効果を有し、電子機器や移動体装置に用いるラウドスピーカとして有用である。
【符号の説明】
【００７５】
１１    ラウドスピーカ
１２    フレーム
１３    磁気回路
１３Ａ    ヨーク
１３Ｂ    磁石
１３Ｃ    プレート
１３Ｄ    磁気ギャップ
１４    振動板
１４Ａ    導光部
１４Ｂ    端面
１４Ｃ    内周端部
１４Ｄ    反射面
１４Ｅ    板状の突起
１４Ｆ    樹脂コーティング膜
１４Ｇ    突起
１４Ｈ    エッジ
１５    ボイスコイルボビン
１５Ａ    入射窓
１５Ｂ    透明材料
１５Ｃ    貫通孔
１５Ｄ    切り欠き
１５Ｅ    折曲部
１５Ｆ    折曲部
１６    ボイスコイル
１７    接着部
１８    ＬＥＤ
１８Ａ    集光レンズ
１９    ダストキャップ
２０    スペーサ
２１    配線部
２１Ａ    プリント基板
２１Ｂ    リード線
２２    外部端子
１１１    ラウドスピーカ
１１４    振動板
１１４Ｂ    端面
１１４Ｃ    内周端部
１１４Ｄ    凹部
２０１    電子機器
２０２    筐体
２０３    音源部
２０４    音声処理部
３０１    電子機器
３０１Ａ    本体部
３０１Ｂ    遊戯台
４０１    移動体装置
４０２    本体部
４０３    駆動部
【図１】
2015129232.tif 000003
【図２】
2015129232.tif 000004
【図３】
2015129232.tif 000005
【図４】
2015129232.tif 000006
【図５】
2015129232.tif 000007
【図６】
2015129232.tif 000008
【図７】
2015129232.tif 000009
【図８】
2015129232.tif 000010
【図９】
2015129232.tif 000011
【図１０】
2015129232.tif 000012
【図１１】
2015129232.tif 000013
【図１２】
2015129232.tif 000014
【図１３】
2015129232.tif 000015
【図１４】
2015129232.tif 000016
【手続補正書】
【提出日】平成28年1月12日(2016.1.12)
【手続補正１】
【補正対象書類名】明細書
【補正対象項目名】００４０
【補正方法】変更
【補正の内容】
【００４０】
さらに、振動板１４の背面には、突起１４Ｇを設けても良い。この場合、接着部１７は、ボイスコイルボビン１５の第１端付近の側面と、突起１４Ｇの側面との間に形成することが、好ましい。なお、突起１４Ｇは、ボイスコイルボビン１５の第１端側の内周面もしくは外周面のいずれか一方のみに設けたものでも良い。この構成により、ボイスコイルボビン１５と振動板１４との結合強度が大きくなる。
【国際調査報告】
2015129232.tif 000017
2015129232.tif 000018
2015129232.tif 000019
2015129232.tif 000020